(57)【要約】【課題】  従来の再生専用メディアの記録フォーマットとの互換性を維持しながら、光ディスク媒体をＣＡＶ方式で駆動する簡易な方法を用いて、光ディスク媒体前面に渡って均一な信号特性で記録できる情報記録方法を提供する。【解決手段】  ＣＡＶ方式による回転駆動において、先頭加熱部のパルス幅の記録クロック周期Ｔに対する比Ｔtopと、先頭加熱部の記録パワーＰtopと後続加熱部の記録パワーＰrearとの比ε（＝Ｐtop／Ｐrear）とを共に変化させるように、所望の記録線速度に応じて先頭加熱部の前エッジ位置とその記録パワーＰtop及び後続加熱部の記録パワーＰrearの各設定値を所定の間隔で更新させることで、最内周位置から最外周位置に渡る全面についての均一な特性の記録が可能となるようにした。【選択図】図１
2007095303.tif 000002
【特許請求の範囲】
【請求項１】
先頭加熱部と後続加熱部とからなる記録パルス発光波形のレーザ光により情報が記録される記録層を有する光ディスク媒体上に段階的に記録線速度を変化させながら記録する際に、段階的な記録線速度の変化に応じて記録クロック周期Ｔを段階的に変化させて、記録線密度が略一定となるようにして記録を行うとともに、段階的な記録線速度の変化に応じて前記先頭加熱部のパルス幅の記録クロック周期Ｔに対する比Ｔtop及び先頭加熱部の記録パワーＰtopと後続加熱部の記録パワーＰrearとの比ε（＝Ｐtop／Ｐrear）を段階的に同時に更新させることを特徴とする情報記録方法。
【請求項２】
先頭加熱部と後続加熱部とからなる記録パルス発光波形のレーザ光により情報が記録される記録層を有する光ディスク媒体上に段階的に記録線速度を変化させながら記録する際に、段階的な記録線速度の変化に応じて記録クロック周期Ｔを段階的に変化させて、記録線密度が略一定となるようにして記録を行う情報記録装置であって、
前記先頭加熱部のパルス幅の記録クロック周期Ｔに対する比Ｔtop及び先頭加熱部の記録パワーＰtopと後続加熱部の記録パワーＰrearとの比ε（＝Ｐtop／Ｐrear）を段階的に同時に更新させるとともに、検出されたアドレス情報に対応した前記先頭加熱部の前エッジ位置とその記録パワー及び前記後続加熱部の記録パワーを算出するコントローラと、少なくとも前記記録パルスにおける前記先頭加熱部の前エッジ位置を変化させるための前エッジ信号を出力する多数段のエッジ信号生成回路と、このエッジ信号生成回路から出力される多数段の前エッジ信号の中から、少なくとも検出されたアドレス情報に対応した前記先頭加熱部の前エッジ位置に相当する前エッジ信号を選択するセレクタと、検出されたアドレス情報に対応した前記先頭加熱部の記録パワー及び前記後続加熱部の記録パワーに応じて前記レーザ光源の出射光量を随時更新するドライバ回路と、を備えたことを特徴とする情報記録装置。
【請求項３】
請求項２に記載の情報記録装置を内蔵したことを特徴とする情報処理装置。
【発明の詳細な説明】
【技術分野】
【０００１】
本発明は、映像用ＤＶＤ（Ｄigital Ｖideo 又はＶersatile Ｄisk ）やＤＶＤ−ＲＯＭなどの再生専用のＤＶＤメディアとフォーマットの互換性を有するＤＶＤ−Ｒ（Ｒecodable ）又はＤＶＤ−ＲＷ（ＲeＷritable）ディスク等の光ディスク媒体に対する情報記録方法、情報記録装置及びこの装置を用いた情報処理装置に関する。
【背景技術】
【０００２】
マルチメディアの普及に伴い、映像用ＤＶＤやＤＶＤ−ＲＯＭなどの再生専用メディアや、記録層として色素材料を用いた追記型のＤＶＤ−Ｒ及び、相変化材料を用いた書換型のＤＶＤ−ＲＷなどの情報記録メディアが開発されている。
【０００３】
これらのＤＶＤメディアに記録されている情報（この例ではセクタ）は、図１２（ａ）に示すようなフォーマットである。このようなフォーマットでは、図１２（ｄ）に示すようにメディアの全トラック上に一定の線密度で連続的にデータ（セクタ）が記録されている。
【０００４】
この再生専用メディアと互換性を有するフォーマットの情報記録媒体とするために、従来では、情報記録媒体（メディア）の回転速度制御法として図１２（ｂ）に示すようにＣＬＶ（Constant Linear Velocity:線速度一定）方式を用いて、トラック半径に反比例した回転数になるようにメディアの回転速度を制御し、トラックの線速度を常に一定にしながら、一定の記録チャンネルクロックの周波数で情報の記録を行っている。
【０００５】
しかしながら、ＣＬＶ方式により回転速度の制御を行うためには、トラックの線速度を常に一定にするために、メディアの回転速度を変化させる必要がある。即ち、メディアを回転駆動するスピンドルモータの変速を伴なうため、大きな回転トルクを必要とし大型で高コストなモータが必要となる。また、シーク時において、スピンドルモータの変速を完了するまでに待ち時間がかかるため、ＨＤＤやＭＯドライブなどと比較して、多大なアクセス時間を要するという欠点がある。
【０００６】
このようなことから、メディアの回転速度を変速制御することなく常に一定にして、メディアに記録を行うには、メディアに記録される情報のフォーマットを図１３に示すようなものにすることも考えられている。即ち、図１３（ｃ）に示すように、メディアに記録するチャンネルクロックの周波数を、トラックの半径位置に比例させて、内周側で小さく、外周側で大きくさせるものである。この場合には、記録線速度は内周側で小さく外周側で大きくなるため、図１３（ｄ）に示すように記録線密度は一定である。また、メディアの回転数（回転速度）を図１３（ｂ）に示すように常に一定として、即ち、ＣＡＶ（Ｃonstant ＡngularＶelocity：回転角一定）方式で、メディアに情報を記録することが可能となる。
【０００７】
これによって、メディアを回転駆動するスピンドルモータの回転変速制御が不要となり、従って、低回転トルクで良く、小型で低コストなモータが使用できるようになる。また、変速を行わないためシーク時の変速待ち時間が不要となりアクセス時間を大幅に短縮することができる。
【０００８】
しかしながら、一般的にヒートモードによってマーク（ピット）が形成される色素系のＤＶＤ−Ｒメディアは、特定の記録線速度において記録時のレーザ発光による記録パルスのパルス幅と記録パワーとが各々異なる最適値となるため、異なった記録線速度では形成されるマークやスペースの状態が変化する。例えば、レーザ光の記録パルス発光形状が、高めの記録パワーの先頭加熱部とこの先頭加熱部よりも記録パワーの低い後続加熱部とを連続させてなる記録パルスの場合において、マークの形成に必要な先頭加熱部による熱量の不足が発生したり、記録層の最適な分解温度に対して到達する加熱温度が異なってマークの平均長がばらついたり、最適な先頭加熱部のパルス幅の記録クロック周期Ｔに対する比が異なって均一なマーク幅が得られなくなり、マーク長に応じた太りや細り（いわゆる涙型マーク）が生じたりして、ジッタ特性が悪化してしまう。
【０００９】
この点、例えば特許文献１によれば、個々の光ディスクの全記録可能領域に対応する最適記録光量を比較的短時間に求めるために、試し書き用領域に少なくとも２つの位置に等しい記録線速度で最適記録光量を求め、補間ルーチンにより求めた２つの記録線速度における最適記録光量に対して内挿処理又は外挿処理を行うことにより、全ての記録線速度での最適記録光量を求めるようにしている。
【００１０】
また、特許文献２によれば、ジッタ特性を悪化させることなく、記録に必要なレーザパワーを低減させるために、光ディスクを一定の回転数で回転させながら、領域によって異なる基準クロックに基づき情報信号に応じて強度変調された光ビームを照射することによって、外周側の領域で内周側の領域より高い周波数で情報を記録する方法において、光ビームを、各領域において基準クロックの周波数の整数倍の周波数で周期的にパルス発光する光ビームとし、かつ、外周側の領域に光ビームが照射されるときに、内周側の領域に光ビームが照射されるときより、パルス発光のデューティ比を大きくするようにしている。
【００１１】
さらに、特許文献３によれば、高速・高信頼性の記録が可能な光ディスク装置を提供するために、光ディスク、光ヘッド、同期信号生成手段、ＶＣＯ 、位相比較手段、コントローラ及び記録信号生成手段を具備し、記録線速度に応じて記録信号のパルス高さ・幅を変化させることで、常に最良の記録条件で記録を行えるようにしている。
【特許文献１】特開平５−２２５５７０号公報
【特許文献２】特開平５−２７４６７８号公報
【特許文献３】特開平１０−１０６００８号公報
【発明の開示】
【発明が解決しようとする課題】
【００１２】
即ち、これらの公報例の場合、ＣＡＶ方式において記録線速度に応じてパルス発光のデューティ比等の記録パルスの何らかの要素の設定値を可変させるように制御しているものであるが、これらの制御は光ディスク媒体に対する定性的な効果を持つに過ぎず、特にＤＶＤの記録メディアに対しては不十分である。即ち、ジッタ特性等の記録情報（ＲＦ信号）の特性変動には複数の要因が相互に作用しているため、これらの特許文献例のような記録方法では不十分で必ずしも光ディスク媒体の全面に渡って均一な信号特性で記録することができず、必ずしも所望の効果が得られるものではない。また、記録パルスの設定値を変化させるにしても、その変化のさせ方について定量的には検討されていないものである。
【００１３】
また、先頭加熱部と後続加熱部とからなる記録パルスの設定値を変化させる場合も、設定を変化させた前後で再生信号の変調度やアシンメトリの変化が生じ、２値化するためのスライスレベルが追従できなくなりジッタの悪化が生じてしまう。
【００１４】
そこで、本発明は、光ディスク媒体を回転駆動しながら先頭加熱部と後続加熱部とからなる記録パルスを用いて情報を記録するとき、光ディスク媒体の回転速度を変速制御することなく、また、従来の再生専用メディアの記録フォーマットとの互換性を維持しながら、簡易な方法を用いて、光ディスク媒体全面に渡って均一な信号特性で記録することが可能な情報記録方法及び情報記録装置を提供することを目的とする。
【００１５】
また、本発明は、２値化のスライスレベルに対する変動を抑え、ジッタ特性の悪化を防止して、再生クロックのＰＬＬも安定動作するような情報記録方法及び情報記録装置を提供することを目的とする。
【００１６】
さらに、本発明は、ＣＡＶ制御によって記録を行う場合においても、全ての記録線速度に対して蓄熱の影響によるマークのエッジシフトを補正して光ディスク媒体全面に渡って低ジッタな記録を行える情報記録方法及び情報記録装置を提供することを目的とする。
【００１７】
さらに、このような情報記録装置を用いることにより、情報の記憶装置として有効に活用できる情報処理装置を提供することを目的とする。
【課題を解決するための手段】
【００１８】
請求項１記載の発明の情報記録方法は、先頭加熱部と後続加熱部とからなる記録パルス発光波形のレーザ光により情報が記録される記録層を有する光ディスク媒体上に段階的に記録線速度を変化させながら記録する際に、段階的な記録線速度の変化に応じて記録クロック周期Ｔを段階的に変化させて、記録線密度が略一定となるようにして記録を行うとともに、段階的な記録線速度の変化に応じて前記先頭加熱部のパルス幅の記録クロック周期Ｔに対する比Ｔtop及び先頭加熱部の記録パワーＰtopと後続加熱部の記録パワーＰrearとの比ε（＝Ｐtop／Ｐrear）を段階的に同時に更新させることを特徴とする。
【００１９】
従って、ディスク回転数を一定とするＣＡＶ制御によって記録線速度が変化しても、各々の記録線速度に対して最適な記録パルスが設定できるようになり、光ディスク媒体全面に渡って均一な特性の記録が可能となる。特に、パルス幅の可変として先頭加熱部の前エッジ位置を可変させるので、制御が容易で処理を簡素化させ得る。
【００２０】
請求項２記載の発明の情報記録装置は、先頭加熱部と後続加熱部とからなる記録パルス発光波形のレーザ光により情報が記録される記録層を有する光ディスク媒体上に段階的に記録線速度を変化させながら記録する際に、段階的な記録線速度の変化に応じて記録クロック周期Ｔを段階的に変化させて、記録線密度が略一定となるようにして記録を行う情報記録装置であって、前記先頭加熱部のパルス幅の記録クロック周期Ｔに対する比Ｔtop及び先頭加熱部の記録パワーＰtopと後続加熱部の記録パワーＰrearとの比ε（＝Ｐtop／Ｐrear）を段階的に同時に更新させるとともに、検出されたアドレス情報に対応した前記先頭加熱部の前エッジ位置とその記録パワー及び前記後続加熱部の記録パワーを算出するコントローラと、少なくとも前記記録パルスにおける前記先頭加熱部の前エッジ位置を変化させるための前エッジ信号を出力する多数段のエッジ信号生成回路と、このエッジ信号生成回路から出力される多数段の前エッジ信号の中から、少なくとも検出されたアドレス情報に対応した前記先頭加熱部の前エッジ位置に相当する前エッジ信号を選択するセレクタと、検出されたアドレス情報に対応した前記先頭加熱部の記録パワー及び前記後続加熱部の記録パワーに応じて前記レーザ光源の出射光量を随時更新するドライバ回路と、を備えたことを特徴とする。
【００２１】
従って、ディスク回転数を一定とするＣＡＶ制御によって記録線速度が変化しても、各々の記録線速度に対して最適な記録パルスが設定できるようになり、光ディスク媒体全面に渡って均一な特性の記録が可能となる。特に、簡易で小規模な回路構成で、ＣＡＶ制御による記録が可能となる。
【００２２】
請求項３記載の発明の情報処理装置は、請求項２に記載の情報記録装置を内蔵したことを特徴とする。
【００２３】
従って、請求項２記載の情報記録装置を内蔵しているので、光ディスク媒体を回転駆動しながら先頭加熱部と後続加熱部とからなる記録パルスを用いて情報を記録するとき、光ディスク媒体の回転速度を変速制御することなく、また、従来の再生専用メディアの記録フォーマットとの互換性を維持しながら、光ディスク媒体全面に渡って均一な信号特性で記録することができ、情報の記憶装置として有効に活用することができる。
【発明の効果】
【００２４】
請求項１記載の発明の情報記録方法によれば、ディスク回転数を一定とするＣＡＶ制御によって記録線速度が変化しても、各々の記録線速度に対して最適な記録パルスが設定できるようになり、光ディスク媒体全面に渡って均一な特性の記録が可能となり、特に、パルス幅の可変として先頭加熱部の前エッジ位置を可変させるので、制御が容易で処理を簡素化させることもできる。
【００２５】
請求項２記載の発明の情報記録装置によれば、ディスク回転数を一定とするＣＡＶ制御によって記録線速度が変化しても、各々の記録線速度に対して最適な記録パルスが設定できるようになり、光ディスク媒体全面に渡って均一な特性の記録が可能となり、特に、簡易で小規模な回路構成で、ＣＡＶ制御による記録が可能となる。
【００２６】
請求項３記載の発明の情報処理装置によれば、請求項２記載の情報記録装置を内蔵しているので、光ディスク媒体を回転駆動しながら先頭加熱部と後続加熱部とからなる記録パルスを用いて情報を記録するとき、光ディスク媒体の回転速度を変速制御することなく、また、従来の再生専用メディアの記録フォーマットとの互換性を維持しながら、光ディスク媒体全面に渡って均一な信号特性で記録することができ、情報の記憶装置として有効に活用することができる。
【発明を実施するための最良の形態】
【００２７】
本発明の第一の実施の形態を図１ないし図６に基づいて説明する。まず、光ディスク媒体である色素系光ディスクで用いる基本的な記録パルスの設定として、図１に示すように、各々のマークデータ長ｎＴに対する記録パルスは先頭加熱部と後続加熱部とによって構成している。
【００２８】
これらの加熱部のパルス幅の設定は、記録クロック周期Ｔに対する比として先頭加熱部がＴtop、後続加熱部がＴrearとしている。また、記録パワーの設定は、先頭加熱部の記録パワーＰtop、後続加熱部の記録パワーＰrearがあり（ただし、Ｐtop＞Ｐrear）、別にスペース部用のバイアスパワーＰbがある。記録パワーについては、マーク形成の状態は記録線速度Ｌｖと強い相関を持ち、記録線速度が大きくなると記録パワーの最適値が大きくなることは周知の通りである。ここでは、最内周位置、即ち、最小記録線速度における最適記録パワーＰrearminに対する所望の任意の半径位置（記録線速度）における記録パワーＰrearの比ρ＝Ｐrear／Ｐrearminとし、先頭加熱部と後続加熱部との記録パワーの比ε＝Ｐtop／Ｐrearとする。
【００２９】
本実施の形態では、これらの設定値のうち先頭加熱部のパルス幅の記録クロック周期Ｔに対する比Ｔtopと、先頭加熱部と後続加熱部との記録パワーの比ε＝Ｐtop／Ｐrearとについて、より詳細な設定を行うものである。また、本実施の形態ではこれらの他に、記録されるマークデータ長及び直前のスペース長に応じた先頭加熱部の前エッジ位置や後続加熱部の後エッジ位置についても、より詳細な設定を行うようにしている。
【００３０】
直径１２０ｍｍの色素系のＤＶＤディスクに対してＣＡＶ方式で記録制御を行うと、記録線速度はディスクの最内周位置で約３．５ｍ／ｓ、最外周位置で約８．４ｍ／ｓ程度となり、記録クロック周波数はディスクの最内周位置で２６．２ＭＨｚ、最外周位置で６３．３ＭＨｚとなる。このような約２．４倍の記録線速度の変化が必要な記録を色素系のＤＶＤディスクで行うとき、全域に渡って同一の記録パルス及び記録パワーの設定値を用いると、高い記録線速度になるに従って（外周になるに従って）、先頭加熱部による予備加熱に過不足が生じてＲＦ信号の変調度がばらついたり、ＲＦ信号の対称性（アシンメトリ）のばらつきが大きくなる。また、先頭加熱部と後続加熱部との記録パワーの比εの最適値にずれを生じ、記録マーク幅が不均一になってジッタ特性が悪化してしまう。本実施の形態では、以下に説明するように、光ディスク媒体の最内周位置から最外周位置に渡って均一な信号特性を有して低ジッタな記録を可能とするものである。
【００３１】
まず、図２に示すように最内周位置における最小記録線速度においては、マークデータ長ｎに対して、先頭加熱部のパルス幅の比Ｔtopを０．５５Ｔ、後続加熱部のパルス幅の比を０．６５Ｔ＋（ｎ−３）Ｔ、記録パルスを構成する全パルス長（先頭加熱部＋後続加熱部）を（ｎ−１．８）Ｔとして、先頭加熱部の記録パワーＰtopを８．２ｍＷ、後続加熱部の記録パワーＰrearを７．８ｍＷに設定している。これらの設定値は、色素系の記録ディスクの代表的な数値であり、各種チューニングや記録材料の種類によって異なった最適値となる。そして、図２に示すように、記録線速度の増加に応じて先頭加熱部のパルス幅の比Ｔtop及び先頭加熱部と後続加熱部との記録パワーの比ε（＝Ｐtop／Ｐrear）を、何れも増加するように変化させることで、マーク先頭部分に最適な熱量を加え、かつ、最適な記録パワーで記録することができるようになり、マーク幅が均一に形成できるようになり、ジッタ特性を良好に維持することができる。
【００３２】
このように、記録線速度が半径位置によって変化するＣＡＶ方式によって記録する場合、これらの設定値を以下のように更新することで良好な記録が可能となる。即ち、具体的な設定例としては、図３又は図４に示すように、先頭加熱部のパルス幅の記録クロック周期Ｔに対する比Ｔtopを、最内周位置での０．５５Ｔ（≒２１．０ｎｓ）から最外周位置での０．９５Ｔ（≒１４．９ｎｓ）まで変化させ、累積の増加分で０．４Ｔ長くなるように設定値を更新変更させている。
【００３３】
逆に、後続加熱部の加熱パルスの記録クロック周期Ｔに対する比Ｔrearは、最内周位置から最外周位置まで記録線速度に依らず０．６５Ｔ（≒２４．８ｎｓ）なる一定の設定値としている。また、先頭加熱部の後エッジ（後続加熱部の前エッジと同一）は記録クロックに対して常に同期した設定としている。
【００３４】
次に、記録パワーの設定については、最内周位置、即ち、最小記録線速度における最適記録パワーＰrearminに対する所望の任意の半径位置（記録線速度）における記録パワーＰrearの比ρ＝Ｐrear／Ｐrearminを１から１．４５まで、即ち、累積の増加分で０．４５大きくなるように記録線速度の増加に応じて変化させるようにした。また、先頭加熱部の記録パワーＰtopの設定は、この先頭加熱部の記録パワーＰtopと後続加熱部の記録パワーＰrearとの比ε＝Ｐtop／Ｐrearを最内周位置での最小記録線速度では１．０５として、最外周位置での最大記録線速度における設定は１．１５としている。よって、記録パワーの比εの設定値は最内周位置から最外周位置までの累積の増加分として、０．１０となるように、記録線速度の増加に応じて変化させるようにしている。このように設定された、最内周位置と最外周位置との記録パルスを時間軸を合わせて相対的に比較すると図５に示すような発光波形が得られる。図５では、７Ｔマークデータの場合をデータの代表例として図示している。
【００３５】
つまり、本実施の形態は、比Ｔtopと比εとを共に変化させるように、記録線速度に応じて先頭加熱部の前エッジ位置とその記録パワーＰtopと後続加熱部の記録パワーＰrearとの設定値を更新変更させるわけであるが、これは、より一般的にいうと、図５中にベクトル的矢印Ａで示すように、最低限、先頭加熱部のパルス幅とその記録パワーとを記録線速度に応じて共に変化させ、そのパルス形状を更新させることを意味する。また、このベクトル的矢印Ａからもわかるように、パルス幅を変化させる割合と記録パワー（比ε）を変化させる割合とが異なるものである。
【００３６】
ちなみに、先頭加熱部の前エッジ位置の変化に限らず、先頭加熱部の後エッジ位置を変化させたり、後続加熱部の後エッジ位置を変化させることで先頭加熱部のパルス幅を変化させるようにしてもよいが、本実施の形態のように先頭加熱部の後エッジ位置及び後続加熱部の後エッジ位置を固定的とし、先頭加熱部の前エッジ位置を変化させる方法によれば、制御が容易で処理を簡略化させ得る。
【００３７】
より具体的な記録パワーの設定値は、最内周位置の最小記録線速度での試し書き（ＯＰＣ）により最適記録パワーとしてＰtopminが８．２ｍＷ、Ｐrearminが７．８ｍＷが算出された場合、前述の比ρと比εによって、最外周位置での先頭加熱部の記録パワーＰtopmaxは１３．０ｍＷ、後続加熱部の記録パワーＰrearmaxは１１．３ｍＷまで変化させている。
【００３８】
このような記録パワーの設定方法を用いることにより、異なる光ディスク媒体であっても、最内周位置での最適記録パワーの設定値から、記録パワーの比ρと比εを更新しながら設定することで光ディスク媒体全面に渡って容易に最適な設定値とすることができ、均一でジッタ特性の良好な記録が可能となる。
【００３９】
また、記録されるマークデータ長を前述したような設定値で記録する場合、マークデータ長に依存する蓄熱作用に伴なってマークの前後エッジがシフトする現象が生じやすい。このエッジシフトはマークデータ長が光スポット径（１／ｅ２）に対して小さい場合に顕著である。ＤＶＤでは記録データとしてＥＦＭパルスと呼ばれる変調方式を用いており、最短のデータ長は３Ｔであり最長のデータ長は１４Ｔである。
【００４０】
従って、本実施の形態では、記録する全てのマーク長とその前後のスペース長が高精度に記録クロック周期の整数倍となるように、記録パルスの前後のエッジを補正するようにしている。より具体的には、図６に示すように、前述の先頭加熱部のパルス幅の設定値０．５５Ｔに対し、最短の３Ｔマークデータのとき＋０．２５Ｔだけ前エッジ位置を補正して０．８０Ｔに長くして、４Ｔ及び５Ｔマークデータのとき＋０．１０Ｔだけ前エッジ位置を補正して０．６５Ｔに長く設定する。さらに、より高精度に補正するため６Ｔマークデータのときも＋０．１０Ｔだけ前エッジ位置を補正して０．６５Ｔに長く設定している。
【００４１】
また、前述の後続加熱部のパルス幅の設定値０．６５Ｔ＋（ｎ−３）Ｔに対しても同様に、３Ｔマークデータのとき＋０．４５Ｔだけ後エッジ位置を補正して１．１０Ｔ＋（ｎ−３）Ｔ＝１．１０Ｔに長くして、４Ｔマークデータのとき＋０．２０Ｔだけ後エッジ位置を補正して０．８５Ｔ＋（ｎ−３）Ｔ＝１．８５Ｔに長くして、５Ｔマークデータのとき＋０．１０Ｔだけ後エッジ位置を補正して０．７５Ｔ＋（ｎ−３）Ｔ＝２．７５Ｔに長く設定している。さらに、より高精度に補正するため６Ｔマークデータのときも＋０．０５Ｔだけ後エッジ位置を補正して０．７０Ｔ＋（ｎ−３）Ｔ＝３．７０Ｔに長く設定している。
【００４２】
なお、６Ｔマークデータに対する補正は、必ずしも必要とはしないが光ディスク媒体によってはエッジシフト防止の効果が認められる。このように、記録されるマークデータ長に応じて記録パルスの前後エッジ位置を補正することで、マーク長依存のエッジシフトを防止することができ、ジッタ特性を良好に記録することが可能となる。
【００４３】
これらの前後のエッジ位置の補正に適応した、先頭加熱部と後続加熱部との設定値を表１に示す。
【００４４】
【表１】
2007095303.tif 000003
【００４５】
このようにこれらの各々のパルス幅や記録パワーの設定値（比ρ、比ε、Ｐtopの設定値）の全てをディスク外周側になるにつれて何れも増加させるように更新変更することで、再生されたＲＦ信号は１４Ｔ変調度（Ｍodulation）や３Ｔ変調度（Ｒesolution）やアシンメトリの変化が少なく、ジッタの増加も少ない信号となり、良好な記録が可能となるものである。
【００４６】
ところで、上述した各設定値は、特定の色素材料と溝構成でのディスクについての代表的な値である。しかしながら、色素系の記録ディスクはレーザ光照射による熱分解やそれに伴う基板変形による光学的変化を生じさせ、その変化によりマークを形成することで情報の記録が行われる。このようなヒートモードによりマークが形成される場合、本実施の形態に良く適合する。代表的な有機色素の例としては、ポリメチン色素、シアニン系、ナフタロシアニン系、フタロシアニン系、スクアリリウム系、ピリリウム系、ナフトキノン系、アントラキノン系(インダンスレン系)、キサンテン系、トリフェニルメタン系、アズレン系、フェナンスレン系、トリフェノチアジン系染料及びアゾ系等の金属錯体化合物などが挙げられる。これらの色素は光学特性、記録感度、信号特性などの向上の目的で他の有機色素及び金属、金属化合物と混合又は積層化して用いても良い。また、金属、金属化合物の例としてはＩｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ，Ｃｄなどが挙げられ、各々を分散混合或いは積層の形態で用いることができる。記録層の形成方法としては、蒸着、スパッタリング、ＣＶＤ又は溶剤塗布などの通常の手段によって行うことができる。塗布法を用いる場合には上記染料などを有機溶剤に溶解して、スプレー、ローラーコーティグ、ディピング及びスピンコーティングなどの慣用のコーティング法によって行うことができる。
【００４７】
これらの種々の色素系の記録ディスクでは、最適な各設定値は異なった値となる。しかしながら、ＣＡＶ方式による記録を行う場合には、先頭加熱部と後続加熱部の各々のパルス幅や記録パワーの設定値（比ρ、比ε、Ｐtop、Ｐrearの設定値）については、何れの記録ディスクについても記録線速度Ｌｖに対して同様な最適化で適応できる。
【００４８】
前述した例では、一般的なアゾ系色素材料の光ディスク媒体で最適な記録パルスの設定値を示している。その他の代表的な構成の光ディスク媒体で詳細に記録パルスの設定を検討した結果、最内周位置に対する最外周位置での各設定値の増加分は、先頭加熱部のパルス幅の記録クロック周期Ｔに対する比Ｔtopが０．３Ｔ〜０．５Ｔの範囲であり、先頭加熱部の記録パワーＰtopと後続加熱部の記録パワーＰrearとの比ε＝Ｐtop／Ｐrearの増加分は０．０５〜０．１５の範囲であった。このような範囲に設定することにより、記録感度（パワー）の異なるような大多数の光ディスク媒体に対して良好な記録が可能であった。
【００４９】
次に、先頭加熱部のパルス幅については、最短マークデータ長３Ｔに対するパルス幅が＋０．１５Ｔ〜＋０．３５Ｔの範囲で長くなるように前エッジ位置を補正し、かつ、マークデータ長４Ｔ及び５Ｔに対するパルス幅が＋０．０５Ｔ〜＋０．１５Ｔの範囲で長くなるように前エッジ位置を補正する。また、後続加熱部のパルス幅については、最短マークデータ長３Ｔに対するパルス幅が＋０．３５Ｔ〜＋０．６５Ｔの範囲で長くなるように後エッジ位置を補正し、かつ、マークデータ長４Ｔ及び５Ｔに対するパルス幅が＋０．０５Ｔ〜＋０．３５Ｔの範囲で長くなるように後エッジ位置を補正する。このような範囲に設定することにより、前述のように色素材料によって補正量が異なるような大多数の光ディスク媒体に対して良好な記録が可能であった。
【００５０】
次に、記録するマークの直前のスペース長が最短長３Ｔであるときの、マークを形成する記録パルスの先頭加熱部の前エッジ位置の補正については、先頭加熱部のパルス幅が短くなるように、記録線速度の変化に対して同一の−０．０５Ｔ〜−０．１５Ｔの範囲で補正する。このような範囲に設定することにより、隣接するマーク間の熱干渉の影響が異なる大多数の光ディスク媒体に対して良好な記録が可能となる。
【００５１】
以下に各々の設定値について、より詳細に説明する。一般的に色素系の記録ディスクに対して異なる記録線速度で記録する場合、記録パワーは記録線速度の平方根に略比例することが知られている（例えば、前述した特開平１０−１０６００８号公報参照）。即ち、記録パワーをＰｗ、記録線速度をＬｖ、定数をＫｌｖとすると、Ｐｗ＝Ｋｌｖ√Ｌｖで算出された記録パワーとしている。しかしながら、前述のように先頭加熱部のパルス幅の記録クロック周期Ｔに対する比Ｔtop及び後続加熱部のパルス幅に関する比Ｔrearと、先頭加熱部の記録パワーＰtopと後続加熱部の記録パワーＰrearとの比ε＝Ｐtop／Ｐrearとを含めた全ての設定値を、記録線速度Ｌｖに応じて最適化する場合においては、前述の記録パワーの比をρ、定数Ｋｐｗとすると、最小と最大の記録線速度での最適な記録パワーは、ρ＝Ｋｌｖ×Ｌｖ＋Ｋｐｗによって直線近似して算出した記録パワーが、全域の記録線速度に対して適正な値を示すようになる。また、比Ｔtop、比Ｔrear、比εについても同様に直線近似して算出した設定値を用いることで全域の記録線速度に対して最適な設定値を得ることができる。本実施の形態の設定値においては、各々
Ｔtop＝０．０８×Ｌｖ＋０．２６
Ｐrear＝Ｐrearmin×ρ＝Ｐrearmin×（０．０９×Ｌｖ＋０．６８）
ε＝０．０２×Ｌｖ＋０．９８
なる近似式を用いている。このような記録線速度の関数の他に、半径位置の関数として記録パルスの設定を更新するようにしてもよい。従って、設定値を更新する設定方法を用いることで、簡易な演算によって任意の記録線速度に対して最適な設定値を算出することが可能となる。
【００５２】
本発明の第二の実施の形態について説明する。前述した実施の形態のように、色素系の記録ディスクに対して、低ジッタな記録を行うためには、記録するデータ長に応じて先頭加熱部のパルス幅の記録クロック周期Ｔに対する比Ｔtopを変化させるようにその前エッジ位置を補正することが有効である。本実施の形態では、より一層低ジッタに記録するため、比Ｔtopの前エッジ位置をさらに以下のように補正させるものである。
【００５３】
一般的に、記録層に色素材料を用いた場合、記録するマークの直前のスペース長に応じて蓄積された加熱量が異なり、マークの前エッジ位置がシフトしてしまう。この現象は最短スペース長において顕著となるため、本実施の形態では、記録するマークの直前のスペース長に応じて先頭加熱部の前エッジ位置を補正するようにした。具体的には、表２に示すように直前の最短スペース長３Ｔに対して、記録するマーク長全ての先頭加熱部のパルス幅の比Ｔtopが短くなるように前エッジ位置を−０．１０Ｔだけ補正している。このように補正して記録を行うことで一層低ジッタな記録が実現できる。なお、後続加熱部のパルス幅の設定は表１の場合と同等である。
【００５４】
【表２】
2007095303.tif 000004
【００５５】
本実施の形態では、ＥＦＭパルス変調された記録データを用いているので、直前スペース長が３Ｔで、マーク長が３Ｔ〜１４Ｔの全てに対して−０．１０Ｔだけ先頭加熱部のパルス幅が短くなるように前エッジ位置を補正している。基本的にマーク長全てに同一の補正量で十分な効果が得られるが、３Ｔ−３Ｔ、３Ｔ−４Ｔ、３Ｔ−５Ｔの組合せに対して補正量を調整することでより大きな効果が期待できる。また、この補正は、全ての直前スペース長とマーク長との組合せで実施可能であるが、４Ｔ以上の直前スペース長に対するジッタの低減の効果は小さい。
【００５６】
第一の実施の形態に示したようなＣＡＶ方式によって記録を行う場合においても、本実施の形態の補正は全ての記録線速度Ｌｖに対して適応している。即ち、最内周位置における最小記録線速度での補正量は、約−０．３８ｎｓ（−０．１０Ｔ）である。また、最外周位置における最大記録線速度での補正量は、クロック周期Ｔに対しては同一の補正量でよく、約−０．１６ｎｓ（−０．１０Ｔ）である。このように、形成されるマークの直前のスペース長が最短長であるとき、そのマークを形成する記録パルスの先頭加熱部の前エッジ位置をパルス幅が短くなるように、ＣＡＶ記録における記録線速度の変化に対して同一の補正量によって補正して記録を行うことで、記録ディスク全面に渡って低ジッタな記録が可能となる。ただし、各々の記録線速度で補正量を最適化したり、直前スペース長とマーク長の組合せ毎に補正量を最適化することで、一層低ジッタに記録することが可能であることは言うまでもない。
【００５７】
なお、補正量については、色素材料の種類や溝構成のチューニングによって異なった記録ディスクであっても、−０．０５Ｔ〜−０．１５Ｔの範囲で補正量を設定することで大多数の記録ディスクに対応することが可能となる。
【００５８】
また、記録線速度Ｌｖの増加に対応して、各設定値を更新する間隔としてはＲＦ信号の特性上は、極力、細かなステップが望ましいがコントローラの負担が増大する。しかしながら、設定値を更新した前後におけるＲＦ信号の最長データと最短データとのアシンメトリの差は、再生された情報のエラーレートなどに多大な影響を及ぼしてしまう。ここで、アシンメトリは図７に示すように、ＲＦ信号の最長データ振幅の平均レベルと最短データ振幅の平均レベルとの差を最長データ振幅で正規化した値であり、マーク長とスペース長の非対称性を示している。ＥＦＭパルス変調の場合、１４ＴスペースレベルをＩ14H、１４ＴマークレベルをＩ14L、３ＴスペースレベルをＩ3H、３ＴマークレベルをＩ3Lとすると、
アシンメトリ＝[（Ｉ14H＋Ｉ14L）／２−（Ｉ3H＋Ｉ3L）／２]／（Ｉ14H−Ｉ14L）
となる。
【００５９】
また、図７及び図８に示すように、設定値を更新変更した時点前後のアシンメトリの差が±１０％近傍になると、急激にジッタ特性が悪化する。従って、アシンメトリの差は、±１０％以内にする必要がある。また、一般的なＤＶＤ再生装置のＲＦ信号を２値化するためのスライス回路は、このアシンメトリの差に追従する時定数をもたないため正確な２値化が行えず、ＲＦ信号に大きなエッジシフトが生じてしまう。場合によっては、再生クロック生成のためのＰＬＬが外れることもある。なお、より詳細な考察によれば、ジッタ特性やＰＬＬ安定性を考慮すると、アシンメトリの差が±５％以内となるように、前述の設定値を更新することが望ましい。
【００６０】
また、上述した４つの設定値（先頭加熱部のパルス幅Ｔtop、後続加熱部のパルス幅Ｔrear、内外周に対する記録パワー比ρ、ＰtopとＰrearの記録パワー比εの設定値）は各々単独でも多少の効果は認められるが、ＲＦ信号の特性変動は相互作用をもつため、４つの設定値全てを更新しながら設定することが望ましい。
【００６１】
前述のようにアシンメトリの差を考慮して、設定値を更新する間隔を決める必要がある。第一、第二の実施の形態ではともに、先頭加熱部のパルス幅の比Ｔtop、後続加熱部のパルス幅の比Ｔrear、内外周に対する記録パワー比ρ、ＰtopとＰrearとの記録パワーの比εの設定値の何れも、記録線速度の幅で約０．３５ｍ／ｓのステップとして段階的に更新させている（図３及び図４参照）。この間隔はかなり大きな幅をもっているがアシンメトリの差を十分抑制することが可能である。しかしながら、ジッタ特性もこれらの設定値のずれにより劣化するため、より小さい間隔で頻繁に設定を更新することが望ましい。また、記録線速度を一定の幅で更新する他に、後述の多段遅延回路などのパルスエッジ生成回路での最小分解能のステップで段階的に更新しても良い。
【００６２】
本発明の第三の実施の形態を図９を参照して説明する。ＣＤやＤＶＤなどの記録ディスクには、一般的にトラッキングエラー信号（プッシュプル信号）を得るためのグルーブ溝が形成されており、グルーブ溝を蛇行して得られるウォブル信号を重畳しており、各々の記録線速度において、プログラマブルＢＰＦによって検出し、周波数変調や位相変調によって符号化された情報を復調することで、未記録ディスクであってもディスク固有のアドレス情報とディスク情報が得られるようになっている。これらの情報は、ランド部の切り込み状の断続ピット（Land−PrePit信号）によって生成する場合も知られている。
【００６３】
このようなディスク情報に、最小（最内周）記録線速度と最大（最外周）記録線速度と中間（中周）記録線速度などの複数の記録線速度における、推奨する記録パルスの先頭加熱部と後続加熱部との記録クロック周期Ｔに対する各々の比Ｔtopと比Ｔrear、及び、推奨する記録パワーＰtop若しくはＰrear、及び、先頭加熱部と後続加熱部との記録パワーの比ε、及び、内外周での記録パワーの比ρなどの設定値を予め埋め込んでおく。本実施の形態では、これら推奨の設定値をメディアから読み出して設定したり、当該情報記録装置で新たに設定し直すようにすることで（ステップＳ１）、内外周での最適な設定値を得た後、記録線速度に対する線形近似された設定値の変化量（又は、その勾配）を算出する（Ｓ２）。
【００６４】
なお、変化量や勾配は、光ディスク媒体の特性に合わせて算出すればよく、線形近似やそれ以外の多項近似式で高精度に算出することもできる。次に、ＣＡＶ制御における記録線速度の範囲から、適正な設定値の更新間隔を算出する（Ｓ３）（本実施の形態では、前述した実施の形態の場合と同様に、約０．３５ｍ／ｓ毎としている）。
【００６５】
このようにして得られた設定値の変化量は記録線速度に対するものであり、実際には前述のウォブル信号やＰＬＬ信号を復調して得られるアドレス情報で認識する必要がある。特定のアドレスが最内周位置から最外周位置まで決められており、記録線速度と対応づけできる。次に、設定値を更新する間隔と、その間隔に対応したアドレスの範囲を割り付けることで（Ｓ４）、更新すべきアドレスに到達した時点で、設定値を更新することができる（Ｓ５）。実際のＣＡＶ制御による記録中においては、現在のアドレスを読み出しながら（Ｓ６）、設定値を更新する範囲内、即ち、アドレス範囲内にあるかを判定し（Ｓ７）、範囲外になった場合、新たに算出された設定値に更新して（Ｓ４，Ｓ５）、連続的に記録を行うことができる。アドレス範囲内にある場合には、前述した通り、ＣＡＶ制御にて記録を行い（Ｓ８）、記録終了のアドレスに達するまで同様の処理を繰り返す（Ｓ９）。このような構成とすることで、コントローラによる記録パルスの制御管理の負担を大幅に軽減することができる。
【００６６】
なお、記録パワーＰtopとＰrearは、最内周位置と最外周位置とに対応した少なくとも２種の記録線速度における試し書き（ＯＰＣ）によって最適値を求めたり、ウォブル信号から得られた記録パワーの情報を置換したり補正したりすることで、より高精度な設定を行うことも可能である。
【００６７】
本発明の第四の実施の形態を図１０に基づいて説明する。本実施の形態は、上述した情報記録方法（先頭加熱部に関する比Ｔtop、後続加熱部に関する比Ｔrear、記録パワーＰrearの最内外周比ρ、先頭加熱部と後続加熱部との記録パワー比εの設定値を更新設定する）を用いて光ディスク媒体に記録するための情報記録装置に関する。
【００６８】
まず、光ディスク媒体１に対して、この光ディスク媒体１を回転駆動させるスピンドルモータ２を含む回転機構３が設けられているとともに、光ディスク媒体１に対してレーザ光を集光照射させる対物レンズや半導体レーザ等の光源を備えた光ヘッド４がディスク半径方向にシーク移動自在に設けられている。光ヘッド４の対物レンズ駆動装置や出力系に対してはサーボ機構５が接続されている。このサーボ機構５にはプログラマブルＢＰＦ６を含むウォブル検出部７が接続されている。ウォブル検出部７には検出されたウォブル信号からアドレスを復調するアドレス復調回路８が接続されている。このアドレス復調回路８にはＰＬＬシンセサイザ回路９を含む記録クロック生成部１０が接続されている。ＰＬＬシンセサイザ回路９にはドライブコントローラ１１が接続されている。システムコントローラ１２に接続されたこのドライブコントローラ１１には、回転機構３、サーボ機構５、ウォブル検出部7及びアドレス復調回路８も接続されている。また、システムコントローラ１２にはＥＦＭエンコーダ１３や記録パルス制御部１４が接続されている。この記録パルス制御部１４は、先頭加熱部と後続加熱部とを含む加熱パルス制御信号を生成する記録パルス生成部１５の他、後述するセレクタであるエッジセレクタ１６及びエッジ信号生成部(エッジ信号生成回路＝パルス幅可変手段)１７を含む。記録パルス制御部１４の出力側には記録パワーＰtopとＰrearとバイアスパワーＰｂとの各々の駆動電流源１８をスイッチングすることで光ヘッド４中の半導体レーザを駆動させるドライバ回路であるＬＤドライバ１９が接続されている。
【００６９】
このような構成において、記録線速度に対応したＢＰＦの中心周波数をドライブコントローラ１１によりプログラマブルＢＰＦ６にセットし、ウォブル検出部７により検出されたウォブル信号からアドレス復調回路８によりアドレス復調するとともに、ドライブコントローラ１１によって基本クロック周波数を変化させたＰＬＬシンセサイザ回路９により、任意の記録線速度における記録チャンネルクロックを生成し記録パルス制御部１４に出力する。
【００７０】
次に、半導体レーザによる記録パルスを発生させるため、記録パルス制御部１４には記録チャンネルクロックと記録情報であるＥＦＭデータが記録パルス制御部１４、ＥＦＭエンコーダ１３から各々入力され、記録パルス生成部１５で、先頭加熱部と後続加熱部とによる記録パルスに対する記録パルス制御信号を生成する。そして、ＬＤドライバ１９で記録パワーＰtopとＰrear及びバイアスパワーＰｂとの各々の駆動電流源１８をスイッチングする。記録時にはバイアス電流源により定常的に再生パワー相当のバイアスパワーＰｂで半導体レーザを発光させ、前述の記録パルス生成部１５で生成された記録パルス制御信号により図１に示したような記録パルスのレーザ発光波形を得ることができる。
【００７１】
ここに、本実施の形態では、記録パルス生成部１５中の先頭加熱部の前エッジ信号生成部１７として、ゲート素子を用いた遅延量０．５ｎｓ程度の多段遅延回路を配置しており、マルチプレクサ構成のエッジセレクタ１６に入力された後、システムコントローラ１２によって選択されたエッジパルスによって前エッジ位置を可変する先頭加熱部の記録パルス制御信号（前エッジ信号）が生成される。同様に、後続加熱部の加熱パルスの後エッジ位置を可変する記録パルス生成部１５中のエッジ信号生成部１７においても、ゲート素子を用いた遅延量０．５ｎｓ程度の多段遅延素子を配置し、エッジセレクタ１６に入力された後、システムコントローラ１２によって選択されたエッジパルスによって、後続加熱部の記録パルス制御信号（後エッジ信号）が生成される。
【００７２】
このような構成によって、前述した情報記録方法のように各々の設定値を決定し、所望の記録線速度で最適なエッジパルスが選択され、所望の記録パルスが発生するように動作させている。また、このような構成で生成した記録パルスを所定の間隔で更新させるようにすると、各々の設定値は図３に示すように階段状に変化する。よって、多段遅延素子を用いると更新区間中は、各々のパルス幅が固定値となり記録チャンネルクロックの変化に応じてパルス幅の比やデューティ比は変化するように設定される。
【００７３】
次に、本実施の別の形態としては、記録パルス生成部１５中の先頭加熱部及び後続加熱部での多段遅延素子の代わりに、位相比較器とループフィルタとＶＣＯ（電圧制御発振器）と分周器を用いたＰＬＬ構成のパルスエッジ生成部としてもよい。この構成では、記録チャンネルクロックを２０逓倍した高分解能クロックをＰＬＬによって発生させ、パルスエッジ信号としては０．０５Ｔ、即ち、１．９ｎｓ〜０．８ｎｓ程度の分解能を有している。このような多段のパルスエッジ信号をマルチプレクサ構成のエッジセレクタ１６に入力された後、システムコントローラ１２によって選択されたエッジパルスによって先頭加熱部の前エッジ位置を可変する前エッジ信号が生成される。同様に、後続加熱部の後エッジ位置を可変する記録パルス生成部１５中のエッジパルス生成回路においても、ＰＬＬ構成のパルスエッジ生成部を配置し、エッジセレクタ１６に入力された後、システムコントローラ１２によって選択されたエッジパルスによって、後続加熱部の後エッジ位置を可変する後エッジ信号が生成されている。
【００７４】
このような構成によって、前述した情報記録方法のように各々の設定値を決定し、所望の記録線速度で最適なエッジパルスが選択され、所望の記録パルスが発生するように動作させている。また、このような構成で生成した記録パルスを所定の間隔で更新させるようにすると、各々の設定値は図４に示すようなのこぎり歯形状に変化する。よって、ＰＬＬ構成のエッジパルス生成部を用いると更新区間中は、各々のパルス幅の比ＴtopとＴrearは記録クロック周波数の変化に対しても一定値となるように設定される。
【００７５】
なお、本発明はこれらの構成の何れに対しても、ＣＡＶ記録時において均一な記録が可能であり、記録パルス生成部としては種々の回路方式を用いることができる。
【００７６】
従って、本実施の形態の情報記録装置によれば、簡易で小規模な回路構成で前述したような先頭加熱部のパルス幅の比Ｔtop、後続加熱部のパルス幅の比Ｔrear、記録パワー比ρ及び先頭加熱部と後続加熱部と記録パワー比εの設定値の更新設定を伴う情報記録方法を用いたＣＡＶ制御による記録が可能となる。
【００７７】
本発明の第五の実施の形態を図１１に基づいて説明する。本実施の形態は、情報処理装置としてパーソナルコンピュータ２１に適用したものであり、３．５型ＦＤドライブ装置２２の他に、前述したような構成の情報記録装置２３をＤＶＤ−Ｒドライブとして内蔵した構成とされている。
【００７８】
このようなパーソナルコンピュータ２１によれば、上述したような情報記録装置２３を一体に内蔵しているので、光ディスク媒体１を回転駆動しながら先頭加熱部と後続加熱部とからなる記録パルスを用いて情報を記録するとき、光ディスク媒体１の回転速度を変速制御することなくＣＡＶ方式を用いて、かつ、従来の再生専用メディアの記録フォーマットとの互換性を維持しながら、光ディスク媒体１全面に渡って均一な信号特性で記録することができ、情報の記憶装置として有効に活用することができる。
【産業上の利用可能性】
【００７９】
本発明に係る情報記録方法、情報記録装置及び情報処理装置は、ディスク回転数を一定とするＣＡＶ制御によって記録線速度が変化しても、各々の記録線速度に対して最適な記録パルスが設定でき、光ディスク媒体全面に渡って均一な特性の記録が可能で、特に、パルス幅の可変として先頭加熱部の前エッジ位置を可変させるので、制御が容易で処理を簡素化させること、また再生される記録情報の最長データと最短データとのアシンメトリの差が、２値化のスライスレベルに対する変動を抑えて、ジッタ特性が悪化することなく、再生クロックのＰＬＬの安定性も良好となる記録ができ、映像用ＤＶＤ（Ｄigital Ｖideo 又はＶersatile Ｄisk ）やＤＶＤ−ＲＯＭなどの再生専用のＤＶＤメディアとフォーマットの互換性を有するＤＶＤ−Ｒ（Ｒecodable ）又はＤＶＤ−ＲＷ（ＲeＷritable）ディスク等の光ディスク媒体に対する情報記録として有用である。
【図面の簡単な説明】
【００８０】
【図１】本発明の第一の実施の形態を示す先頭加熱部と後続加熱部とによる記録パルス等の説明図
【図２】記録線速度−記録パルスのパルス幅、パワー比等の特性図
【図３】その更新のさせ方の一例を示す特性図
【図４】更新のさせ方の他例を示す特性図
【図５】最内周と最外周の記録パルス同士を時間軸を合わせて相対的に示すパルス波形特性図
【図６】マークデータ長に応じた記録パルスの補正例を示すパルス波形特性図
【図７】本発明の第二の実施の形態に関するアシンメトリを説明するための説明図
【図８】アシンメトリ−ジッタ特性図
【図９】本発明の第三の実施の形態を示すフローチャート図
【図１０】本発明の第四の実施の形態を示すブロック図
【図１１】本発明の第五の実施の形態を示す外観斜視図
【図１２】ＣＬＶ方式の従来例を示す説明図
【図１３】ＣＡＶ方式の従来例を示す説明図
【符号の説明】
【００８１】
１ 光ディスク媒体
１２ コントローラ
１６ セレクタ
１７ エッジ信号生成回路
１９ ドライバ回路
２３ 情報記録装置
【図１】
2007095303.tif 000005
【図２】
2007095303.tif 000006
【図３】
2007095303.tif 000007
【図４】
2007095303.tif 000008
【図５】
2007095303.tif 000009
【図６】
2007095303.tif 000010
【図７】
2007095303.tif 000011
【図８】
2007095303.tif 000012
【図９】
2007095303.tif 000013
【図１０】
2007095303.tif 000014
【図１１】
2007095303.tif 000015
【図１２】
2007095303.tif 000016
【図１３】
2007095303.tif 000017